(57)【要約】      （修正有）【課題】操作方向以外の方向への移動を抑制するとともに、配置スペースの小型化を図ることのできる押釦および電子機器を提供する。【解決手段】操作部４は、オペレータが押す操作をするキー４Ａ、キーの背面側に配置されたつまみ部４Ｂおよびつまみ部の背面側に一体的に接続されて、かつ、棒状や板状に形成されるとともに湾曲や屈曲して形成されて弾性変形可能なヒンジ４Ｃを有している。オペレータによりキーが操作されていないとき、キーとつまみ部はヒンジの弾性により正面側に付勢されている。オペレータによりキーが操作されると、キーとつまみ部はヒンジの弾性に抗して背面側に移動するよう設けられている。【選択図】図４
2020149855.tif 000002
【特許請求の範囲】
【請求項１】
つまみ部と、
前記つまみ部に一端が接続されて弾性変形が可能なヒンジと、
前記つまみ部および前記ヒンジとは別体で設けられて前記ヒンジの他端を支持する支持部と、
を備える、押釦。
【請求項２】
前記つまみ部が複数設けられ、隣り合う各前記つまみ部に接続されている各前記ヒンジの他端が連結され、当該連結部分を前記支持部で支持する、請求項１に記載の押釦。
【請求項３】
前記支持部は、前記つまみ部を囲む正面パネルに一体形成され、前記つまみ部により動作するスイッチ素子が実装された回路基板と該支持部との間で前記ヒンジの他端を支持する、請求項１または２に記載の押釦。
【請求項４】
前記支持部は、前記ヒンジの他端に設けられた脚部に嵌合する溝を有する、請求項１から３のいずれか１項に記載の押釦。
【請求項５】
正面に表示面を有する表示パネルと、
前記表示パネルの周りを囲む正面パネルと、
前記正面パネルに囲まれた請求項１から４のいずれか１項に記載の押釦と、
を備える、電子機器。
【発明の詳細な説明】
【技術分野】
【０００１】
本発明は、押釦および電子機器に関する。
【背景技術】
【０００２】
例えば、特許文献１に開示されている連結つまみは、樹脂で形成されて複数が連結部で連結され、この連結部に、パネル方向に突出する凸部と、凸部を挟む位置でパネルと反対方向に突出する別の凸部とを設け、別の各凸部を連結つまみとは別の部材でパネル方向に連結部を変形させ、つまみをパネル方向に付勢する。
【０００３】
また、例えば、特許文献２に開示されている連結つまみは、樹脂で形成されて複数がヒンジを介して連結軸で一体に連結されている。
【先行技術文献】
【特許文献】
【０００４】
【特許文献１】特開平１０−２８９６３０号公報
【特許文献２】特開２０００−１２３６６９号公報
【発明の概要】
【発明が解決しようとする課題】
【０００５】
特許文献１では、ヒンジとして撓む構成は連結部であり、操作方向以外の不要な方向へつまみ部が動くことを抑制できないおそれがある。
【０００６】
一方、特許文献２では、連結軸を剛構造とし、１つのつまみ部の動きにより他のつまみ部が動くことを防止することが可能である。しかし、連結軸を有することで、つまみ部を押す高さ方向に大きくなり、つまみ部を配置するスペースが大きくなってしまう。
【０００７】
本発明は、操作方向以外の方向への移動を抑制するとともに、配置スペースの小型化を図ることのできる、押釦および電子機器を提供することを目的とする。
【課題を解決するための手段】
【０００８】
上記の目的を達成するため、本発明の一態様の押釦は、つまみ部と、前記つまみ部に一端が接続されて弾性変形が可能なヒンジと、前記つまみ部および前記ヒンジとは別体で設けられて前記ヒンジの他端を支持する支持部と、を備える。
【０００９】
上記の目的を達成するため、本発明の一態様の電子機器は、正面に表示面を有する表示パネルと、前記表示パネルの周りを囲む正面パネルと、前記正面パネルに囲まれた上述の押釦と、を備える。
【発明の効果】
【００１０】
本発明によれば、支持部でヒンジの他端を支持することで、つまみ部がヒンジの弾性変形により移動しても、ヒンジの位置が変わることを防ぐ。このため、操作方向以外の方向へのつまみ部の移動を抑制できる。また、支持部は、つまみ部およびヒンジとは別体で設けられてヒンジの他端を支持する構成のため、ヒンジ自体に位置が変わることを防ぐような部材を要さないことから、つまみ部およびヒンジの配置スペースの小型化を図ることができる。
【図面の簡単な説明】
【００１１】
【図１】図１は、本発明の実施形態に係る電子機器を示す正面図である。
【図２】図２は、図１におけるＡ−Ａ線拡大断面図である。
【図３】図３は、押釦を示す斜視図である。
【図４】図４は、図１におけるＢ−Ｂ線拡大断面図である。
【図５】図５は、図４におけるＣ−Ｃ線拡大断面図である。
【図６】図６は、支持部および脚部を示す拡大斜視図である。
【発明を実施するための形態】
【００１２】
以下、発明を実施するための形態（以下、実施形態という）につき図面を参照しつつ詳細に説明する。なお、下記の実施形態により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１３】
図１は、本実施形態に係る電子機器を示す正面図である。図２は、図１におけるＡ−Ａ線拡大断面図である。
【００１４】
図１および図２に示すように、本実施形態に係る電子機器１は、車両の内部に搭載される、例えば、ＡＶ（Audio  Visual）一体型のカーナビゲーション装置である。電子機器１は、表示パネル２と、正面パネル３と、操作部４と、回路基板５と、ホルダ部６と、を有する。
【００１５】
表示パネル２は、矩形状に形成され、正面に表示面２Ａを有している。正面とは、オペレータが視る面であって、カーナビゲーション装置の場合は車内前方に配置されるため、車内の後方に向く面となる。表示面２Ａは、表示パネル２の矩形状よりも小さい矩形状をなし、表示パネル２の外縁２Ｂより内側に配置されている。表示パネル２は、本実施形態では、表示面２Ａが感圧式のタッチパネルとして構成されている。
【００１６】
正面パネル３は、表示パネル２の周りを囲むように、矩形状に形成されている。正面パネル３は、表示パネル２の周りを囲む矩形状の枠部３Ａと、枠部３Ａの内側において表示パネル２の表示面２Ａを開放する矩形状の窓部３Ｂと、を有している。
【００１７】
操作部４は、図１に示すように、正面パネル３の下側であって、正面パネル３の正面側において左右方向に複数並んで配置されている。操作部４は、図２に示すように、キー４Ａと、つまみ部４Ｂと、ヒンジ４Ｃと、を有している。キー４Ａは、正面パネル３の正面側であって外側に現れる部分であり、オペレータが押す操作をする部分である。つまみ部４Ｂは、キー４Ａの背面側に配置され、その背面側にヒンジ４Ｃが一体に接続されている。つまみ部４Ｂおよびヒンジ４Ｃは、樹脂材で形成され、ヒンジ４Ｃは、弾性変形するように、棒状や板状に形成され、かつ、湾曲や屈曲して形成されている。従って、オペレータによりキー４Ａが背面側に押された場合、ヒンジ４Ｃの変形によって、キー４Ａと共につまみ部４Ｂが背面側に移動可能に設けられている。また、オペレータによるキー４Ａの操作がされていない場合、ヒンジ４Ｃの弾性によって、キー４Ａと共につまみ部４Ｂが正面側に移動した位置に付勢される。なお、正面パネル３は、図２に示すように、つまみ部４Ｂの上下左右を囲むように案内部３Ｃが設けられ、案内部３Ｃによって、つまみ部４Ｂの移動を案内するように構成されている。キー４Ａは、つまみ部４Ｂの移動を阻害しないように案内部３Ｃの正面側を覆って配置されている。
【００１８】
回路基板５は、表示パネル２の下部において、表示パネル２の正面に沿って配置されている。本実施形態において、回路基板５は、左右方向に連続して設けられている。回路基板５は、図２に示すように、正面にスイッチ素子５Ａであるタクトスイッチが実装されている。スイッチ素子５Ａは、複数の操作部４におけるつまみ部４Ｂの背面側に対向して配置されている。従って、スイッチ素子５Ａは、オペレータによりキー４Ａが背面側に押された場合、ヒンジ４Ｃの変形によって、キー４Ａと共につまみ部４Ｂが背面側に移動することで、動作する。なお、スイッチ素子５Ａは、１つの操作部４における背面側に、１つに限らず、複数配置されていてもよい。この回路基板５は、正面パネル３に収容されている。具体的に、正面パネル３は、上述した案内部３Ｃより背面に延びて上下左右を囲むケース部３Ｄが形成されている。回路基板５は、このケース部３Ｄに収容されている。
【００１９】
ホルダ部６は、図２に示すように、表示パネル２の下部において、表示パネル２の正面と回路基板５の背面との間に挟まれるように設けられている。ホルダ部６は、板状に形成され、回路基板５が収容されている正面パネル３のケース部３Ｄにおける背面側を塞ぐように設けられ、正面パネル３に取り付けられている。具体的に、ホルダ部６は、正面パネル３の底部に形成された貫通穴３Ｅに挿入される突起６Ａを有し、この貫通穴３Ｅへの突起６Ａの嵌合により正面パネル３に取り付けられる。
【００２０】
また、ホルダ部６は、正面パネル３に取り付けられることで、回路基板５の背面に当接して設けられる。上述したように、オペレータによりキー４Ａが背面側に押された場合、ヒンジ４Ｃの変形によって、キー４Ａと共につまみ部４Ｂが背面側に移動することで、回路基板５のスイッチ素子５Ａが動作するが、この際、ホルダ部６は、回路基板５の背面に当接することで、回路基板５が背面側へ押されることへの反力を生じる。
【００２１】
以下、本実施形態に係る押釦について説明する。図３は、押釦を示す斜視図である。図４は、図１におけるＢ−Ｂ線拡大断面図である。図５は、図４におけるＣ−Ｃ線拡大断面図である。図６は、支持部および脚部を示す拡大斜視図である。
【００２２】
本実施形態の押釦は、上述した操作部４におけるキー４Ａと、つまみ部４Ｂと、ヒンジ４Ｃと、支持部３Ｆと、を含む。
【００２３】
つまみ部４Ｂは、上述したように、操作部４においてキー４Ａの背面側に配置され、オペレータによりキー４Ａが背面側に押された場合、スイッチ素子５Ａを動作させるものである。つまみ部４Ｂは、図３に示すように、例えば、矩形状のブロックとして構成され、樹脂材で形成されている。図３では、３つのつまみ部４Ｂが左右方向に並んだ形態を示している。
【００２４】
ヒンジ４Ｃは、上述したように、樹脂材で形成されて、つまみ部４Ｂに一体に接続され、自身の弾性変形によりキー４Ａと共につまみ部４Ｂを移動可能にする。つまみ部４Ｂは、図３に示すように、背面側において上下左右の４箇所に背面側に延びる腕部４Ｄが設けられている。ヒンジ４Ｃは、棒状に形成され、一端４Ｃａがそれぞれ腕部４Ｄの背面側に延びた先端に接続されている。
【００２５】
ヒンジ４Ｃは、１つのつまみ部４Ｂにおいて、上側（一側）の２つの腕部４Ｄから左右方向の相反する側に向かって直線状に他端４Ｃｂが延びて設けられている。即ち、上側の左側（一方側）の腕部４Ｄに接続されたヒンジ４Ｃは、左側に向かって直線状に他端４Ｃｂが延びている。また、上側の右側（他方側）の腕部４Ｄに接続されたヒンジ４Ｃは、右側に向かって直線状に他端４Ｃｂが延びている。この上側の腕部４Ｄから延びるヒンジ４Ｃを直線ヒンジという。
【００２６】
また、ヒンジ４Ｃは、１つのつまみ部４Ｂにおいて、下側（他側）の２つの腕部４Ｄから左右方向の相反する側に向かって直線状に延び、途中から上側に屈曲して直線状に延びて他端４Ｃｂが上側のヒンジ４Ｃの他端４Ｃｂに接続されている。即ち、下側の左側の腕部４Ｄに接続されたヒンジ４Ｃは、左側に向かって直線状に延び、途中から上側にＬ字状に屈曲して直線状に延びて他端４Ｃｂが上側の左側のヒンジ４Ｃの他端４Ｃｂに接続されている。また、下側の右側の腕部４Ｄに接続されたヒンジ４Ｃは、右側に向かって直線状に延び、途中から上側にＬ字状に屈曲して直線状に延びて他端４Ｃｂが上側の右側のヒンジ４Ｃの他端４Ｃｂに接続されている。この下側の腕部４Ｄから延びるヒンジ４Ｃを屈曲ヒンジという。
【００２７】
そして、上側の腕部４Ｄから延びたヒンジ（直線ヒンジ）４Ｃは、隣り合うつまみ部４Ｂに接続されたヒンジ（直線ヒンジ）４Ｃと他端４Ｃｂ同士が脚部４Ｅにより左右方向で連結されている。脚部４Ｅは、図６に示すように正面側に開放部４Ｅａを有して背面側に閉塞部４Ｅｂを有するコ字形状に形成され、各端が各ヒンジ（直線ヒンジ）４Ｃの他端４Ｃｂと接続されている。この脚部４Ｅは、ヒンジ（直線ヒンジ）４Ｃおよびヒンジ（屈曲ヒンジ）４Ｃよりも背面側に突出して設けられている。
【００２８】
また、最も左側のつまみ部４Ｂについて、上側の左側の腕部４Ｄに接続されたヒンジ（直線ヒンジ）４Ｃは、他端４Ｃｂに脚部４Ｆが接続されている。この脚部４Ｆは、正面側から左側に屈曲したＬ字形状に形成され一端がヒンジ（直線ヒンジ）４Ｃの他端４Ｃｂと接続されている。また、最も右側のつまみ部４Ｂについて、上側の右側の腕部４Ｄに接続されたヒンジ（直線ヒンジ）４Ｃも、他端４Ｃｂに脚部４Ｆが接続されている。この脚部４Ｆは、正面側から右側に屈曲したＬ字形状に形成され一端がヒンジ（直線ヒンジ）４Ｃの他端４Ｃｂと接続されている。この脚部４Ｆは、脚部４Ｅと同様にヒンジ（直線ヒンジ）４Ｃおよびヒンジ（屈曲ヒンジ）４Ｃよりも背面側に突出して設けられており、背面側において、脚部４Ｅと同じ高さで形成されている。
【００２９】
なお、上述した、つまみ部４Ｂ、各ヒンジ４Ｃ、各腕部４Ｄ、脚部４Ｅ，４Ｆは、樹脂材によりモールド成形などで一体に形成されている。
【００３０】
支持部３Ｆは、図４および図５に示すように、操作部４のヒンジ４Ｃとは別体の正面パネル３に形成されている。支持部３Ｆは、正面パネル３において、回路基板５を収容するケース部３Ｄの内側にて、回路基板５に向かって背面側に延びたリブ状に形成されている。支持部３Ｆは、背面側に延びた先端が操作部４の脚部４Ｅ，４Ｆに当接するように形成されている。支持部３Ｆは、図６に示すように背面側に向く先端が脚部４Ｅのコ字形状の開放部４Ｅａに挿入する。開放部４Ｅａの左右方向の開放幅は、支持部３Ｆの先端の左右方向の幅とほぼ等しく、これにより、開放部４Ｅａに支持部３Ｆが嵌合する。また、支持部３Ｆは、背面側に向く先端に溝３Ｆａが形成されている。この溝３Ｆａは、支持部３Ｆの左右方向に貫通し、背面側に開放して形成され、脚部４Ｅ，４Ｆと嵌合する。溝３Ｆａが脚部４Ｅ，４Ｆと嵌合することで、脚部４Ｅ，４Ｆが回路基板５に押し付けられる。脚部４Ｅ，４Ｆは、支持部３Ｆの溝３Ｆａが嵌合した状態で支持部３Ｆにより回路基板５の正面に当接して支持される。従って、支持部３Ｆは、脚部４Ｅ，４Ｆに嵌合することで、ヒンジ４Ｃの他端４Ｃｂを支持し、脚部４Ｅ，４Ｆが左右方向に移動することを規制する。また、支持部３Ｆは、脚部４Ｅにおいて同等の幅の開放部４Ｅａに嵌合することで、ヒンジ４Ｃの他端４Ｃｂを支持し、脚部４Ｅが左右方向に移動することを規制する。また、支持部３Ｆは、溝３Ｆａが脚部４Ｅ，４Ｆに嵌合することで、ヒンジ４Ｃの他端４Ｃｂを支持し、脚部４Ｅ，４Ｆが上下方向に移動することを規制する。
【００３１】
ところで、図には明示しないが、支持部は、正面パネル３に設けられる以外に、操作部４のヒンジ４Ｃとは別体で回路基板５に設けられていてもよい。例えば、この支持部は、コ字形状に形成されて閉塞部が回路基板５に固定されるように構成され、コ字形状が溝として構成され、この溝が脚部４Ｅ，４Ｆに嵌合するように構成する。
【００３２】
このように、本実施形態の押釦は、つまみ部４Ｂと、つまみ部４Ｂに一端４Ｃａが接続されて弾性変形が可能なヒンジ４Ｃと、つまみ部４Ｂおよびヒンジ４Ｃとは別体で設けられてヒンジ４Ｃの他端４Ｃｂを支持する支持部３Ｆと、を備える。
【００３３】
従って、支持部３Ｆでヒンジ４Ｃの他端４Ｃｂを支持することで、つまみ部４Ｂがヒンジ４Ｃの弾性変形により移動しても、ヒンジ４Ｃの位置が変わることを防ぐ。このため、操作方向以外の方向へのつまみ部４Ｂの移動を抑制できる。また、支持部３Ｆは、つまみ部４Ｂおよびヒンジ４Ｃとは別体で設けられてヒンジ４Ｃの他端４Ｃｂを支持する構成のため、ヒンジ４Ｃ自体に位置が変わることを防ぐような部材を要さないことから、つまみ部４Ｂおよびヒンジ４Ｃの配置スペースの小型化を図ることができる。
【００３４】
また、つまみ部４Ｂが複数設けられ、隣り合う各つまみ部４Ｂに接続されている各ヒンジ４Ｃの他端４Ｃｂが連結され、当該連結部分を支持部３Ｆで支持する。
【００３５】
従って、隣り合う各つまみ部４Ｂのヒンジ４Ｃを連結することで部品の一体化を図り、製造や組み立てを容易にできる。その一方で、隣り合う各つまみ部４Ｂのヒンジ４Ｃを連結すると、１つのつまみ部４Ｂの動きにより他のつまみ部４Ｂが動くおそれがあるが、連結部分を支持部３Ｆで支持していることで、そのような問題もない。
【００３６】
また、支持部３Ｆは、つまみ部４Ｂを囲む正面パネル３に一体形成され、つまみ部４Ｂにより動作するスイッチ素子５Ａが実装された回路基板５と支持部３Ｆとの間でヒンジ４Ｃの他端４Ｃｂを支持する。
【００３７】
従って、つまみ部４Ｂを囲む正面パネル３に支持部３Ｆを一体とし、回路基板５との間でヒンジ４Ｃの他端４Ｃｂを支持することで、正面パネル３、つまみ部４Ｂ、回路基板５を組み合わせることで、支持部３Ｆによりヒンジ４Ｃの他端４Ｃｂを支持できる。このため、部品点数が嵩むことがなく、組み立て性を確保できる。
【００３８】
また、支持部３Ｆは、ヒンジ４Ｃの他端４Ｃｂに設けられた脚部４Ｅ，４Ｆに嵌合する溝３Ｆａを有する。
【００３９】
従って、溝３Ｆａがヒンジ４Ｃの他端４Ｃｂに設けられた脚部４Ｅ，４Ｆに嵌合することで、ヒンジ４Ｃの位置が変わることを確実に防ぐことができる。
【００４０】
また、本実施形態の電子機器１は、正面に表示面２Ａを有する表示パネル２と、表示パネル２の周りを囲む正面パネル３と、正面パネル３に囲まれた上述する押釦と、を備える。
【００４１】
従って、支持部３Ｆでヒンジ４Ｃの他端４Ｃｂを支持することで、つまみ部４Ｂがヒンジ４Ｃの弾性変形により移動しても、ヒンジ４Ｃの位置が変わることを防ぐ。このため、操作方向以外の方向へのつまみ部４Ｂの移動を抑制できる。また、支持部３Ｆは、つまみ部４Ｂおよびヒンジ４Ｃとは別体で設けられてヒンジ４Ｃの他端４Ｃｂを支持する構成のため、ヒンジ４Ｃ自体に位置が変わることを防ぐような部材を要さないことから、つまみ部４Ｂおよびヒンジ４Ｃの配置スペースの小型化を図ることができる。この結果、つまみ部４Ｂの操作品質が改善され、かつ押釦の小型化を図れる。
【００４２】
なお、上述した実施形態では、操作部４において、つまみ部４Ｂの上側（一側）に直線状のヒンジ（直線ヒンジ）４Ｃを設けて、これらヒンジ（直線ヒンジ）４Ｃの他端４Ｃｂに脚部４Ｅ，４Ｆが接続された構成とし、つまみ部４Ｂの下側（他側）に屈曲したヒンジ（屈曲ヒンジ）４Ｃをヒンジ（直線ヒンジ）４Ｃに接続した構成とされている。即ち、本実施形態では、操作部４が、つまみ部４Ｂの上側にのみ脚部４Ｅ，４Ｆが設けられ、この脚部４Ｅ，４Ｆを介して支持部３Ｆで支持された片持ちの構成とされている。この片持ちの構成に限らず、つまみ部４Ｂの下側（他側）においても、上側（一側）と同様に直線状のヒンジ（直線ヒンジ）４Ｃを設けて、これらヒンジ（直線ヒンジ）４Ｃの他端４Ｃｂに脚部４Ｅ，４Ｆが接続された構成とし、この脚部４Ｅ，４Ｆを介して支持部３Ｆで支持された両持ちの構成としてもよい。両持ちの構成の場合、操作方向以外の方向へのつまみ部４Ｂの移動を抑制する効果を顕著に得ることができる。一方、ヒンジ（屈曲ヒンジ）４Ｃを他側に設けた片持ちの構成の場合、両持ちの構成と比較して操作時の反力を低減しソフトタッチの操作感が得られる。
【符号の説明】
【００４３】
１  電子機器
２  表示パネル
２Ａ  表示面
３  正面パネル
３Ｆ  支持部
３Ｆａ  溝
４Ｂ  つまみ部
４Ｃ  ヒンジ
４Ｃａ  一端
４Ｃｂ  他端
５  回路基板
５Ａ  スイッチ素子
【図１】
2020149855.tif 000003
【図２】
2020149855.tif 000004
【図３】
2020149855.tif 000005
【図４】
2020149855.tif 000006
【図５】
2020149855.tif 000007
【図６】
2020149855.tif 000008